(57)【要約】【課題】  被検液、特に、微生物や動植物の細胞等の培養における培養液の濁度を精度よく測定し、以て菌体濃度等を精度よく求めることができる濁度測定装置を提供すること。【解決手段】被検液の濁度を光学的に測定する濁度測定装置であって、前記被検液を収容し透明部を有する容器と、前記被検液に前記透明部を介して光を照射する発光部と、前記発光部からの光の照射により前記被検液を透過した光を前記透明部を介して受光する受光部とを備え、前記容器は、該容器の底壁の外側から内方向に立ち上がって上方向に突出すると共に、その底部が外側に開口する中空の突出部を有し、前記発光部は前記突出部の中空内に前記容器の側壁に向けて配置され、前記受光部は前記容器の側壁の外側で前記被検液を透過した光を受光する位置に前記発光部に対向して配置され、前記発光部及び受光部は前記容器の外側の受発光・計測手段に接続される、濁度測定装置である。【選択図】図１
2018100949.tif 000002
【特許請求の範囲】
【請求項１】
被検液の濁度を光学的に測定する濁度測定装置であって、
前記被検液を収容し透明部を有する容器と、前記被検液に前記透明部を介して光を照射する発光部と、前記発光部からの光の照射により前記被検液を透過した光を前記透明部を介して受光する受光部と、を備え、
前記容器は、該容器の底壁の外側から内方向に立ち上がって上方向に突出すると共に、その底部が外側に開口する中空の突出部を有し、
前記発光部は、前記突出部の中空内に前記容器の側壁に向けて配置され、
前記受光部は、前記容器の側壁の外側で前記被検液を透過した光を受光する位置に前記発光部に対向して配置され、
前記発光部及び受光部は、前記容器の外側の受発光・計測手段に接続される、前記濁度測定装置。
【請求項２】
被検液の濁度を光学的に測定する濁度測定装置であって、
前記被検液を収容し透明部を有する容器と、前記被検液に前記透明部を介して光を照射する発光部と、前記発光部からの光の照射により前記被検液を透過した光を前記透明部を介して受光する受光部と、を備え、
前記容器は、該容器の底壁の外側から内方向に立ち上がって上方向に突出すると共に、その底部が外側に開口する中空の突出部を有し、
前記発光部は、前記容器の側壁の外側に前記突出部の側壁に向けて配置され、
前記受光部は、前記突出部の中空内で前記被検液を透過した光を受光する位置に前記発光部に対向して配置され、
前記発光部及び受光部は、前記容器の外側の受発光・計測手段に接続される、前記濁度測定装置。
【請求項３】
前記発光部が発光素子を備え、前記受光部が受光素子を備える請求項１又は２記載の濁度測定装置。
【請求項４】
前記発光素子が発光ダイオードであり、前記受光素子がフォトダイオードである請求項３記載の濁度測定装置。
【請求項５】
前記発光部及び受光部が、それぞれ光ファイバーの先端部であり、これら光ファイバーの各他端が前記受発光・計測手段に接続される、請求項１又は２記載の濁度測定装置。
【請求項６】
前記容器が培養槽である請求項１〜５のいずれか１項に記載の濁度測定装置。
【請求項７】
請求項６記載の濁度測定装置を備える培養装置。
【請求項８】
請求項６記載の濁度測定装置を用いて、培養液の濁度を培養槽の外側から測定する方法。
【発明の詳細な説明】
【技術分野】
【０００１】  本発明は、被検液の濁度を測定するための装置に関し、さらに詳しくは、容器に収容された被検液の濁度を容器の外側から容器の透明部を介して光学的に測定する濁度測定装置に関する。本発明は、特に、容器が培養槽で被検液が培養液である場合の濁度測定装置として好適である。
【背景技術】
【０００２】  培養槽を用いて微生物や動植物の細胞等を培養するに際し、培養管理のために、培養液中の菌体や細胞の濃度（数）あるいはそれらの増殖度等（以下「菌体濃度等」ということもある。）が測定される。そして、培養状態を管理する際の指標として培養液の濁度を利用する場合があり、例えば、培養槽内に濁度センサー（プローブ）を配置し、培養液の濁度を光学的に測定することが行われる。
一般に濁度センサーは、発光部の光源から光を被検液に照射し、そのときの受光部における受光量から濁度を測定する。そして、培養液の濁度から菌体濃度等を求める場合、あらかじめ濁度と菌体濃度等との関係を求めて標準曲線（検量線）を作成し、その標準曲線に基づいて、測定した培養液の濁度から菌体濃度等が求められる。【０００３】  従来、培養液を測定対象とする濁度センサーとして、培養槽内に設置される濁度センサーが提案されている（例えば、特許文献１参照）。【０００４】  また、振とう培養において、振とうフラスコの底部近傍の側壁外側から培養液に光を照射し、その反対側の側壁外側で透過光を受光して濁度を測定することが知られている（例えば、タイテック（株）、“製品情報−旋回振とう培養用非接触濁度計  ＯＤ−ＭｏｎｉｔｏｒＡ＆Ｓ”、［ｏｎｌｉｎｅ］、ＴＡＩＴＥＣ  ＯＮｌｉｎｅ製品・部品詳細｜旋回振とう培養用非接触濁度．．．、［平成２８年１０月２４日検索］、インターネット＜ＵＲＬ：ｈｔｔｐ：／／ｔａｉｔｅｃ．ｎｅｔ／ｐｒｏｄｕｃｔｓ／ｐｒｏｄｕｃｔｓ−ｄｅｔａｉｌ．ｐｈｐ？ｍａｃｈｉｎｅ＿ｎａｍｅ＝ＯＤ−ＭｏｎｉｔｏｒＡ％ＥＦ％ＢＣ％８６Ｓ＞参照）。
【先行技術文献】
【特許文献】
【０００５】
【特許文献１】特開２００３−７５３４４号公報
【発明の概要】
【発明が解決しようとする課題】
【０００６】  上記のごとく、培養管理のために培養槽内の培養液の濁度を測定する場合には、一般に、培養槽上部の天板（天蓋）に固定することによって培養槽内に濁度センサーを配置している。【０００７】  しかしながら、濁度センサーを培養槽内に配置した場合には、小型の培養槽全体のオートクレーブ滅菌処理あるいは据え置きの培養槽内の蒸気滅菌処理等によるヒートサイクルで濁度センサーが損傷する可能性があり、濁度センサーが損傷してしまうと、培養中にはその交換が事実上不可能であることから、その後は培養管理ができなくなるといった問題がある。
また、濁度センサーを培養槽内に配置するには、これを装着、固定するために、専用の密封可能なノズル（ソケット）を培養槽上部の天板（天蓋）に新たに設ける必要があるが、温度センサーやｐＨセンサーなど多数のセンサーや装置が培養槽上部に設けられることが多く、特に小型の培養槽では、濁度センサーの取付けスペースの確保が困難であったり、取付けられたとしても、濁度センサーの着脱操作がし難いといった問題がある。【０００８】  さらに、上記のごとく、培養容器（培養槽）の側壁外側で培養液へ光を照射し、その透過光を培養容器の外側で受光して濁度を測定する場合には、培養容器の直径等が大になって受発光位置間の距離が長くなる程培養液中の光の透過距離（透過光路長）が長くなって弱い透過光を受光することになることから、濁度の測定精度が低下し、また、培養液の濃度、すなわち、菌体濃度等が増すにつれて光の透過が妨げられてくることから、菌体濃度等が高くなったときには濁度の測定が困難になるといった問題がある。【０００９】  本発明は、このような従来技術が有する課題に鑑みてなされたものであって、その目的とするところは、被検液、特に、微生物や動植物の細胞等の培養における培養液の濁度を精度よく測定し、以て菌体濃度等を精度よく求めることができる濁度測定装置を提供することにある。
【課題を解決するための手段】
【００１０】  本発明者は、上記目的を達成すべく鋭意検討した結果、培養槽（容器）外から培養液（被検液）の濁度を光の照射及びその透過光の受光で測定することとし、この場合、該培養槽の底壁の外側から内方向に立ち上がって上方向に突出し、その底部が外側に開口する突出部の中空内（培養槽外）に発光部又は受光部を収容して配置し、前記培養槽の側壁の外側に前記に対応する受光部又は発光部を配置することにより、培養槽の直径等が大である場合でも、あるいは、培養液の菌体濃度等が高くなった場合でも濁度を精度よく測定し、以って菌体濃度等を精度よく求めることができることの新知見を得、この知見に基づき本発明を完成するに到った。【００１１】  本発明は、これらに限定されないが、以下の発明を包含する。
（１）  被検液の濁度を光学的に測定する濁度測定装置であって、前記被検液を収容し透明部を有する容器と、前記被検液に前記透明部を介して光を照射する発光部と、前記発光部からの光の照射により前記被検液を透過した光を前記透明部を介して受光する受光部と、を備え、前記容器は該容器の底壁の外側から内方向に立ち上がって上方向に突出すると共にその底部が外側に開口する中空の突出部を有し、前記発光部は前記突出部の中空内に前記容器の側壁に向けて配置され、前記受光部は前記容器の側壁の外側で前記被検液を透過した光を受光する位置に前記発光部に対向して配置され、前記発光部及び受光部は前記容器の外側の受発光・計測手段に接続される、前記濁度測定装置。【００１２】  （２）  被検液の濁度を光学的に測定する濁度測定装置であって、前記被検液を収容し透明部を有する容器と、前記被検液に前記透明部を介して光を照射する発光部と、前記発光部からの光の照射により前記被検液を透過した光を前記透明部を介して受光する受光部と、を備え、前記容器は該容器の底壁の外側から内方向に立ち上がって上方向に突出すると共にその底部が外側に開口する中空の突出部を有し、前記発光部は前記容器の側壁の外側に前記突出部の側壁に向けて配置され、前記受光部は前記突出部の中空内で前記被検液を透過した光を受光する位置に前記発光部に対向して配置され、前記発光部及び受光部は前記容器の外側の受発光・計測手段に接続される、前記濁度測定装置。【００１３】  （３）  前記発光部が発光素子を備え、前記受光部が受光素子を備える（１）又は（２）記載の濁度測定装置。【００１４】  （４）  前記発光素子が発光ダイオードであり、前記受光素子がフォトダイオードである（３）記載の濁度測定装置。【００１５】  （５）  前記発光部及び受光部が、それぞれ光ファイバーの先端部であり、これら光ファイバーの各他端が前記受発光・計測手段に接続される、（１）又は（２）記載の濁度測定装置。【００１６】  （６）  前記容器が培養槽である（１）〜（５）のいずれかに記載の濁度測定装置。【００１７】  （７）  （６）記載の濁度測定装置を備える培養装置。【００１８】  （８）  （６）記載の濁度測定装置を用いて、培養液の濁度を培養槽の外側から測定する方法。
【発明の効果】
【００１９】  本発明によれば、培養槽（容器）外から光学的に培養液（被検液）の濁度を精度よく測定することができる。また、本発明により測定した培養液の濁度に基づいて、培養液中の菌体濃度、細胞濃度等を評価することができるため、本発明は培養管理などに好適に使用できる。
さらに、本発明によれば、培養槽の底壁の外側から内方向に立ち上がって上方向に突出する突出部の中空内と培養槽の側壁の外側と間で光の照射及び受光が行なわれることから、上記したような従来の培養槽の側壁外側から培養液に光を照射し、その反対側の側壁外側で透過光を受光する場合に比較して、培養液中の光の透過距離が約１／２以下となって強い透過光を受光することができ、その結果、培養槽の直径等が大である場合でも、あるいは、培養液の菌体濃度等が高くなった場合でも、濁度を精度よく測定することができる。【００２０】  また、本発明によれば、培養槽の上記突出部の中空内に発光部又は受光部のいずれかを収容するものであることから、上記のような培養槽の側壁の外側に発光部及び受光部の両者を配置した場合のこれらが培養槽外に占めるスペースと比較したとき、前記突出部の中空内に収容された発光部又は受光部の分が省スペースとなって培養槽の多数を集合して配置する場合に極めて効果的である。
【図面の簡単な説明】
【００２１】
【図１】は、本発明の濁度測定装置の一実施形態を示す概略図である
【図２】は、実施例により得られた既知の細胞数に対する本発明の濁度測定装置により測定した濁度及び分光光度計により測定した濁度（ＯＤ）との関係を示す図である。
【発明を実施するための形態】
【００２２】  本発明の濁度測定装置は、容器内に収容された被検液の濁度を容器外から光学的に測定する装置であり、特に、培養液の濁度を培養槽外から測定するのに有効に適用される。
本発明において、濁度を測定する被検液としては、例えば、化学反応液、培養液等が挙げられるが、以下においては、培養槽内の培養液の濁度を測定する場合を例として説明する。
また、本発明において、濁度は透過光測定方式によるものであって、懸濁物質（濁り物質：微生物、細胞等）を含む培養液に光を照射した際の透過光を利用して濁度が測定される。
【００２３】  先ず、本発明の濁度測定装置の基本構成は、
（１）培養液を収容する培養槽は、培養槽の底壁の外側から内方向に立ち上がって上方向に突出しその底部が外側に開口する中空の突出部、例えば、円錐台形状のもの等を有し、
（２）上記突出部の中空内に、
ア  培養槽の側壁に向けて培養液に光を照射する発光部、又は
イ  培養槽の側壁の外側から培養液に照射された光の透過光を受光する位置に受光部を収容して配置し、
（３）上記培養槽の側壁の外側に、
ア  上記（２）アの発光部に対向し、培養液の透過光を受光する位置に受光部、又は    イ  上記（２）イの受光部に対向し、上記突出部の側壁に向けて培養液に光を照射す        る発光部
を配置し、
（４）上記発光部及び受光部は、上記培養槽の外側の公知の受発光・計測手段に電気的及び／又は光学的に接続されてなる。
【００２４】  そして、本発明の最も特徴とする点は、上記のごとく、培養槽の底壁にその底部が外側に開口する中空の突出部を設け、この突出部の中空内（培養槽の外側）に発光部又は受光部を収容して配置することにある。
このことにより、従来の培養槽の側壁外側から培養液に光を照射し、その反対側の側壁外側で透過光を受光する場合に比較して、培養液中の光の透過距離が約１／２以下となって強い透過光を受光することができ、その結果、培養槽の直径等が大である場合でも、あるいは、培養液の菌体濃度等が高くなった場合でも、濁度を精度よく測定することができる。
【００２５】  なお、光の照射及び透過光の受光は、培養槽の側壁及び突出部の側壁の透明部を介して行なわれる。
また、以下、説明の都合上、培養槽の上記突出部の中空内に発光部を配置し、培養槽の側壁の外側に受光部を配置した場合について説明することとする。
【００２６】（培養槽）
本発明において、培養液を収容する培養槽は、公知の培養槽を使用することができる。培養槽の材質、大きさ、形状等は特に限定されず、用途、培養・滅菌温度などを考慮して適宜選択することができる。
培養槽の材質は、例えば、金属、ガラス、樹脂等が好ましく、小型培養槽では透明性・耐熱性の観点から、例えば、パイレックス（登録商標）ガラスなどの透明な耐熱ガラス等、大型培養槽ではステンレス鋼等が好ましい。
また、培養槽の容量は、特に制限されず、あらゆる容量の培養槽を用いることができる。
さらに、培養槽の形状は、例えば、円筒状、円錐状（フラスコ状）、角柱状、角錐状等であってよい。
なお、培養槽の開口部は、後述するように天板等により液密に封止されていてもよい。
【００２７】（培養槽の突出部）
本発明において、培養液を収容する培養槽は、上記のごとく、培養槽の底壁の外側から内方向に立ち上がって上方向に突出するもので、その底部が外側に開口する中空の突出部を有する。
上記突出部の培養槽の底壁からの立ち上がりの位置については、特に限定されず、上記発光部と受光部との光の透過距離（透過光路長）を勘案して適宜選択決定される。突出部の底部開口の中心が培養槽の底壁の中央近傍であることが、撹拌等の観点から好ましいといえるが、勿論、突出部を培養槽の側壁にさらに近づけるようにして設けることもできる。
【００２８】  上記突出部の形状については、底部が外側に開口していてその上方に発光部を収容し得る中空（空間）を有すればよく、特に制限されないが、例えば、円錐、角錐、円錐台、角錐台、円柱、角柱等の形状が挙げられる。円錐形状のものとしては、ロードコーン（パイロン）形状のもの等が例示できる。
なお、本発明において、上記突出部の側壁とは、その側部の傾斜部又は垂直部の壁をいう。
また、上記突出部の中空の大きさ（容積）については、発光部又は受光部を収容できればよい。
さらに、上記突出部は、培養槽と一体的に形成してもよく、別体として形成し、接着等の適宜の方法により、培養槽に連結、固定することもできる。合成樹脂製の培養槽の場合には、突出部を容易に一体成型とすることができる。
【００２９】（透明部）
本発明において透明部とは、培養槽及びその突出部の側壁に設けられ、この透過部を介して濁度を測定する際の照射光及び透過光が透過される。
培養槽及びその突出部の側壁が透明である場合は、側壁をそのまま透明部とすることができるが、培養槽やその突出部の側壁が金属などの不透明な材料で構成される場合は、部分的に透明材料を用いて透明部を設ければよい。
透明部の材質は培養槽の滅菌処理の観点から耐熱性であることが好ましいが、例えば、ガラス、樹脂等を用いることができ、透明樹脂の例としては、ポリプロピレン（ＰＰ）、ポリカーボネート（ＰＣ）、テトラフルオロエチレン・ヘキサフルオロプロピレン共重合体（ＦＥＰ）などを挙げることができる。
なお、耐熱性を有しない材料の場合には、常法により、γ線等により滅菌することもできる。
【００３０】  本発明においては、上記のごとく培養槽及びその突出部の透明部の外側、すなわち、培養槽外に発光部及び受光部が設けられるが、このような構成を採用することによって、培養槽の蒸気滅菌処理時に蒸気に曝されることがない等から、本発明の濁度測定装置は優れた耐久性や測定精度を実現する。
なお、透明部の外側とは、培養液が収容されている側を内側とした際に、それと透明部を介して対峙する側をいう。
【００３１】（発光部）
本発明において、発光部は培養槽の上記突出部の中空内に底部の開口から挿入して収容される。
収容される発光部としては、培養液に対して照射光を発するものであればよく、例えば、直接光を発する光源自体、光源の光を伝送する光ファイバーの先端部等が挙げられる。
照射光は、濁度の測定に通常用いられる光源を利用して発生させることができる。光の波長は特に制限されないが、例えば、９００ｎｍ、６６０ｎｍ、６００ｎｍ、６１０ｎｍ、５６２ｎｍなどの波長の光を好適に使用することができる。
【００３２】  照射光の光源としては、公知のものを使用することができ、例えば、発光素子の発光ダイオード（ＬＥＤ：Ｌｉｇｈｔ  Ｅｍｉｔｔｉｎｇ  Ｄｉｏｄｅ）やレーザー光等が好適に使用される。
そして、発光部は、例えば、リード線、光ファイバー等のケーブルを介して培養槽外のデジタル表示部付属の演算処理部（アンプ）等を備える公知の受発光・計測手段に接続され、所望の波長の光が培養液に照射されることになる。
なお、発光部は、突出部の中空内に収容されることから、できるだけ小型であるのが好ましい。
【００３３】  （受光部）
本発明において、光検出用の受光部は、培養液を透過した照射光に基因する光を受光し得る位置であって、培養槽の透明部の外側に発光部に対向して（向けて）配置される。
受光部としては、公知のものを使用することができ、例えば、受光素子自体、光を受光素子等に伝送する光ファイバーの先端部等が挙げられる。
受光素子としては、例えば、フォトダイオード（Ｐｈｏｔｏ  Ｄｉｏｄｅ：ＰＤ）、フォトセル（Ｐｈｏｔｏｃｅｌｌ）等が好適に使用できる。
そして、受光部は、例えば、リード線、光ファイバー等のケーブルを介して培養槽外の受発光・計測手段に接続され、受光する培養液の透過光の光量から濁度が測定されることになる。
【００３４】  （受発光・計測手段）
本発明において、受発光・計測手段は、公知のものが有効に使用できる。
例えば、受発光・計測手段は、ＬＥＤを光源とする１つの態様として、光源を収容する本体とこれに連結する光ファイバーを備えており、この光ファイバーの先端部（発光部）から光が照射される。また、同様にＰＤを収容する本体と光ファイバーを備えており、この光ファイバーの先端部（受光部）で受光した光がＰＤで検出される。そして、上記光源を収容する本体等とＰＤを収容する本体等とは、デジタル表示部付属の演算処理部（アンプ）（計測手段）と組み合わせて一つのユニットとしてもよいし、それぞれ別体として、別体間をケーブル等で接続することもできる。
また、例えば、光源としてレーザー光を用いる１つの態様においても、上記したＬＥＤを光源とする態様の場合と同様にして受発光・計測手段を構成することができる。
【００３５】  本発明において、濁度とは水の濁りの程度を示す指標であり、例えば、受光する透過光の光量を測定することにより、公知方法である標準液等を用いて作成した標準曲線（検量線）から被検液の求める項目の濃度等を濁度として測定することができる。
また、本発明においては、例えば、光学密度（ＯＤ）、受光したそのままの値である受光値等を濁度として測定することができる。
【００３６】  そしてまた、濁度と菌体濃度（個／ｍｌ）等との関係を示す標準曲線（検量線）は、公知の方法、例えば、培養液の濁度測定値とそのときの培養液につき公知方法で測定された菌体濃度等とから、あるいは、種々の既知菌体濃度等に調製された菌体懸濁液と夫々の濁度測定値とから等の方法で求められる。
この標準曲線は、微生物や動植物細胞の種類等によって異なることから、それらの種類等毎にあらかじめ作成されるが、更にこの標準曲線から菌体濃度等の有効測定範囲も確認することができる。
なお、本発明の濁度測定装置を用いる濁度測定は、例えば、連続的に、一定時間毎に等、適宜の方法で実施される。
また、濁度測定に際し、バックグラウンドの光（照明や太陽光等）の影響を回避するために、常法により、発光部のＬＥＤ等の光源を、例えば、１０００Ｈｚ等でＯＮ／ＯＦＦして交流化し、受光部のＰＤ等の受信信号に直線光のフィルター（通常はコンデンサー）介して受光したり、測定装置全体を遮光物等で覆ったり等、適宜の方法を採用することもできる。
【００３７】  本発明の濁度測定装置は、測定対象である培養液の濁度が、分光光度計を用いて測定されるＯＤ値（例えば、波長６６０ｎｍにおけるＯＤ値）が０．１〜０．７の範囲であるようなときに、特に有効に適用されるが、このような範囲に何ら限定されるものではない。
ここで、分光光度計により測定されるＯＤ値とは、光路長１０ｍｍの角型石英セルを用いて分光光度計で測定した場合、純水（又は空のセル）を透過した光量を１とした際の受光量（Ｔ）から、−ｌｏｇ１０Ｔという式で算出され、Ｔ＝０．１のとき、ＯＤ＝１である。
【００３８】  さらに、本発明の濁度測定装置は、外部から測定可能であるため、内部の環境に関わらず適用できることから、微生物、細胞などあらゆる培養物について、小スケールの基礎研究や大スケールの工業的利用まで様々な目的に利用できる。
【００３９】  なお、上記突出部を備える培養槽において、培養液の撹拌については、適宜の方法で行なうことができるが、例えば、通気撹拌、邪魔板による撹拌、後記の実施形態１に示す撹拌装置による撹拌等を挙げることができる。
【００４０】  本発明の他の態様としては、本発明の濁度測定装置を備える培養装置、及び本発明の濁度測定装置を用いて培養液の濁度を培養槽外から光学的に測定する方法が挙げられる。
【００４１】  以下、本発明の濁度測定装置の一実施形態を図面に基づいて詳細に説明するが、本発明はこの実施形態に限定されるものではない。
【００４２】  （実施形態１）
図１は、本発明の濁度測定装置の一実施形態を示す概略図であって、図１（ａ）はその全体を縦断面で示す説明概略図であり、図１（ｂ）は図１（ａ）のＸ−Ｘによる断面を示す説明概略図（ただし、後記する撹拌回転部材の部分は省略）である。
同図において、培養装置１は本発明の濁度測定装置２を備えている。
そして、濁度測定装置２は、下記する突出部３ｃを有し培養液（被検液）４を収容する培養槽（容器）３と、突出部３ｃの中空３ｃ１内（培養槽３外）から培養液４に光を照射する発光部５と、培養液４を透過した光（透過光）を培養槽３外で受光する受光部６と、発光部５及び受光部６が接続される培養槽外の受発光・計測手段７とを備えている。
なお、符号Ｌは、培養液４の液面である。
【００４３】  培養槽３は、例えば、透明なポリカーボネート製の円筒形状のものであって、その上部開口が天板３ａにより液密に封止されている。
本発明の特徴の一つである培養槽３の突出部３ｃは、培養槽３の底壁３ｂの、例えば、中央近傍の外側から内方向に立ち上がって上方向に突出し、その底部が外側に開口する中空３ｃ１の、例えば、全体として円錐台形状で形成されていて、透明である。
なお、培養槽３における側壁３ｄ、底壁３ｂ及び突出部３ｃは一体的に形成されている。
【００４４】  突出部３ｃの中空３ｃ１内には、発光部５（例示：発光素子  発光ダイオード（ＬＥＤ））がその開口３ｃ２（培養槽３外）から挿入して収容されている。この際、発光部５は培養槽３の側壁３ｄの外側の受光部６に向けて配置されおり、また、発光部５の配置は突出部３ｃの側壁（透明部）３ｃ３の外側、すなわち、培養槽３の外側ということになる。
なお、本実施形態において、発光部５は突出部３ｃの中空３ｃ１内に嵌合され得る支持部材５ａの内部の定位置に適宜の方法で固定して収容されている。
【００４５】  受光部６（例示：受光素子  フォトダイオード（ＰＤ））は、培養液４を透過した照射光に基因する光を受光し得る位置であって、培養槽３の側壁３ｄ（透明部）の外側（培養槽３外）の支持部材６ａの上端に発光部５に向けて固定して配置されている。
【００４６】  発光部５及び受光部６は、それぞれリード線５ｂ、６ｂ等のケーブルを介して培養槽３外のデジタル表示部付属の演算処理部等を備える公知の受発光・計測手段７に接続されている。
なお、符号８は、培養槽３を載置する支持台であって、その上面に支持部材５ａ、６ａの底部が固定されており、その上面又は内部には発光部５からのリード線５ｂが配置されている。
また、本実施形態においては、後記のごとく、突出部３ｃの側壁３ｃ３近傍を撹拌回転部材１０ｂが回転する撹拌装置１０を備えたものを例示したが、勿論、このような撹拌装置を備えなくてもよい。
【００４７】  培養槽３内の培養液４の濁度は、例えば、次のようにして測定される。
培養槽３の突出部３ｃの中空３ｃ１内に収容された発光部５の光源からの光（例示：波長６６０ｎｍ）がその側壁３ｃ３の透明部を介して培養液４及び受光部６の方向に照射される。
培養液４を透過した透過光は、培養槽３の側壁３ｄの透明部を介して受光部６で受光され、発光部５及び受光部６が電気的に接続されている受発光・計測手段７により透過光の光量、濁度等が測定される。
【００４８】  なお、図１（ａ）において、撹拌装置１０は、回転軸１０ａと、その上端から対向する２枚の板状で下方に開脚状に延びる撹拌回転部材１０ｂと、それぞれの下端に取り付けた永久磁石１０ｃとを備えている。
撹拌装置１０は、例えば、ポリカーボネート製で回転軸１０ａの上端と両撹拌回転部材１０ｂの上端とが連結して一体的に形成されていて、回転軸１０ａが、突出部３ｃの上部に設けられた凹部３ｃ４に回転自在に嵌入されている。
本実施形態では、上記のような撹拌装置１０を備えるために、突出部３ｃの上部を上方に延伸させているが、受光部５のみを収容する場合には、その延伸の必要はない。
【００４９】  一方、培養槽３の底壁３ｂの下側には、撹拌装置１０を回転させる駆動装置１１を備えている。
駆動装置１１は、モーターＭの駆動軸に連結されて水平に回転する板状の駆動回転部材１１ａの両端に永久磁石１１ｂを有し、永久磁石１１ｂは撹拌回転部材１０ｂの下端の永久磁石１０ｃとは異極で、それらに対向する位置に配置されている。
【００５０】  そして、モーターＭが回転駆動して永久磁石１１ａが回転することにより、培養槽３内の撹拌回転部材１０ｂが突出部３ｃの側壁３ｃ３の近傍を回転し、培養液４が撹拌される。
培養液４の濁度測定は、例えば、連続的に、一定時間毎に等、適宜に行なわれるが、この場合、撹拌を行ないながらの測定、撹拌を一旦停止しての測定の何れでもよい。
【００５１】  本実施形態の濁度測定装置２によれば、培養槽の側壁の外側から培養液に光を照射し、その反対側の側壁外側で透過光を受光する場合に比較して、培養液中の光の透過距離が約１／２となって強い透過光を受光することができ、その結果、特に、菌体濃度等が高い培養液であっても、濁度を精度よく測定することができる。
【実施例】
【００５２】（実施例１）
実施形態１の培養装置１を用い、Ｆｒｅｅｓｔｙｌｅ  ＣＨＯ−Ｓ細胞（Ｃｈｉｎｅｓｅ  ｈａｍｓｔｅｒ  ｏｖａｒｙチャイニーズハムスターの卵巣−Ｓ細胞）（無血清馴化細胞、Ｃａｔ．Ｎｏ．Ｒ８００−０７（Ｌｉｆｅ
2018100949.tif 000003
０１１（Ｌｉｆｅ  ｔｅｃｈｎｏｌｏｇｉｅｓ  ｊａｐａｎ））３０ｍｌに３×１０５ｃｅｌｌｓ／ｍｌになるように接種し、次いで、ＦｏｒｍａＣＯ２インキュベーター内で、ＣＯ２濃度５％、３６．５℃、湿度１００％、撹拌８０ｒｐｍ、通気（上面）１ｖｖｍの条件下で９６時間培養し、４．１×１０６ｃｅｌｌｓ／ｍｌの培養物を得た。
こうして得た培養液を上記培地で希釈し６．６×１０５及び１．３×１０６ｃｅｌｌｓ／ｍｌの細胞懸濁液を調製した。【００５３】  原培養物（細胞懸濁液）を含む３試料について、本発明の濁度測定装置２を用いて、それぞれの濁度（図２において、「濁度」として表示）を測定した。
なお、発光部（ＬＥＤ）、受光部（ＰＤ）及び演算処理部等を備える受発光・計測手段としては、それぞれ公知のものを適宜組み合わせ、自社製作したものを用いた。
また、発光部の光源（ＬＥＤ）光の波長は、６６０ｎｍとした。
さらに、上記３試料について、日本分光株式会社製の分光光度計Ｖ５３０を用いての濁度（図２において、「濁度（ＯＤ６６０）」として表示）も測定した。
これらの結果を図２にまとめて示す。【００５４】  また、このときの近似曲線式及び相関係数は次のとおりである。
（１）濁度と細胞数の関係：
ｙ＝０．０１３４ｘ−０．０４２５、Ｒ２＝０．９５７
（２）濁度（ＯＤ６００）と細胞数の関係：
ｙ＝８５．１２ｘ−３．６０５３、Ｒ２＝０．９６９
（３）濁度と濁度（ＯＤ６００）の関係：
ｙ＝１．１７９８ｘ−０．１０２６、Ｒ２＝０．０．９９９
なお、上記３試料に係る濁度（ＯＤ６００）は、６．６×１０５ｃｅｌ１ｓ／ｍｌ：０．０９２、１．３×１０６ｃｅｌｌｓ／ｍｌ：０．２３８、４．１×１０６ｃｅｌ１ｓ／ｍｌ：０．５０９である。
図２及び上記相関係数等から、それぞれ、ほぼ完全な正の相関があり、本発明の濁度測定装置を用いて濁度、ひいては細胞濃度（細胞数）等を精度よく測定できることが分かる。
【符号の説明】
【００５５】  １  培養装置
２  濁度測定装置
３  培養槽
３ａ  天板
３ｂ  底壁
３ｃ  突出部
３ｃ１  中空
３ｃ２  開口
３ｃ３  側壁
３ｃ４  凹部
３ｄ    側壁
４  培養液
５  発光部
５ａ  支持部材
５ｂ  リード線
６  受光部
６ａ  支持部材
６ｂ  リード線
７  受発光・計測手段
８  支持台
１０  撹拌装置
１０ａ  回転軸
１０ｂ  撹拌回転部材
１０ｃ  永久磁石
１１  駆動装置
１１ａ  駆動回転部材
１１ｂ  永久磁石
Ｌ  液面
Ｍ  モーター
【図１】
2018100949.tif 000004
【図２】
2018100949.tif 000005